(57)【要約】【課題】手書き入力機能付き電子辞書装置において、表示画面と該表示画面とは別に設けた手書き入力部を利用して、ユーザに対し効果的に知識を習得させることを可能にする。【解決手段】問題としての複数の単語と該各単語にそれぞれ関連性のある回答としての複数の単語とを、問題単語番号Mnと回答単語記号Mkを付して表示部17の左右の領域に分けて配列表示させると共に、手書き入力部16の左側の手書き入力表示エリア16Lに前記問題単語番号Mnを配列表示させ、右側の手書き入力表示エリア16Rに前記回答単語記号Mkを配列表示させる。前記表示部17に表示されたユーザ所望の問題の単語と回答の単語とにそれぞれ対応する手書き入力部16に表示された問題単語番号Mnと回答単語記号MkとがペンPによりタッチ入力されると、当該タッチ入力された問題単語番号Mnと回答単語記号Mkとに対応する前記表示部17における問題の単語と回答の単語との間に線引き表示Lnが行われる。【選択図】      図４
2009192833.tif 000002
【特許請求の範囲】
【請求項１】
表示部と手書き入力部と辞書データ記憶手段を備え、前記手書き入力部に手書き入力された文字に基づいて前記辞書データ記憶手段により記憶された辞書データから見出し語を検索し前記表示部に表示させる手書き入力機能を備えた電子辞書装置であって、
問題のオブジェクト群と回答のオブジェクト群とを各オブジェクト毎に異なる符号を対応付けて前記表示部に表示させる問題表示制御手段と、
前記問題のオブジェクトに付された符号と前記回答のオブジェクトに付された符号とを前記手書き入力部の一方の領域と他方の領域とに分けて表示させる符号表示制御手段と、
この符号表示制御手段により前記手書き入力部の一方の領域に表示された符号と他方の領域に表示された符号に対するタッチ入力を判断するタッチ入力判断手段と、
このタッチ入力判断手段によりタッチ入力が判断された際に、当該タッチ入力された一方の領域の符号と他方の領域の符号に対応して前記表示部に表示されている問題のオブジェクトと回答のオブジェクトとの間に当該オブジェクト間を結ぶ線を表示させる線引き表示制御手段と、
を備えたことを特徴とする手書き入力機能を備えた電子辞書装置。
【請求項２】
前記線引き表示制御手段により前記問題のオブジェクトと回答のオブジェクトとの間を結ぶ線が表示された後に、当該問題のオブジェクトに対応する見出し語の説明情報を前記辞書データ記憶手段により記憶された辞書データから読み出し前記表示部に表示させる辞書内容表示制御手段をさらに備えたことを特徴とする請求項１に記載の手書き入力機能を備えた電子辞書装置。
【請求項３】
表示部と手書き入力部と辞書データ記憶手段を備え、前記手書き入力部に手書き入力された文字に基づいて前記辞書データ記憶手段により記憶された辞書データから見出し語を検索し前記表示部に表示させる手書き入力機能を備えた電子辞書装置であって、
一方向の問題とその問題に交差する他方向の問題とを組み合わせたクロスワードの問題を各問題毎に異なる符号を対応付けて前記表示部に表示させる問題表示制御手段と、
前記一方向の問題に付された符号と前記他方向の問題に付された符号とを前記手書き入力部の一方の領域と他方の領域とに分けて表示させる符号表示制御手段と、
この符号表示制御手段により前記手書き入力部に表示された各符号のうちの何れかの符号に対するタッチ入力を判断するタッチ入力判断手段と、
このタッチ入力判断手段によりタッチ入力が判断された際に、当該タッチ入力された符号に対応して前記表示部に表示されている問題を回答の対象とし、その問題に対する回答の入力を受け付ける回答入力受け付け手段と、
を備えたことを特徴とする手書き入力機能を備えた電子辞書装置。
【請求項４】
前記タッチ入力判断手段によりタッチ入力が判断された後に、当該タッチ入力された符号に対応して前記表示部に表示されている問題に対応する見出し語の説明情報を前記辞書データ記憶手段により記憶された辞書データから読み出し前記表示部に表示させる辞書内容表示制御手段をさらに備えたことを特徴とする請求項３に記載の手書き入力機能を備えた電子辞書装置。
【発明の詳細な説明】
【技術分野】
【０００１】
本発明は、手書き入力機能を備えた電子辞書装置に関する。
【背景技術】
【０００２】
従来から、ワードプロセッサのように文字入力キーを操作して表示された文字（列）をキーワード（検索文字（列））としてその意味内容を辞書検索し表示させるようにした電子辞書装置が実用されている。
【０００３】
そして、前記辞書検索のためのキーワード（検索文字（列））を入力するために、キー入力部（キーボード）だけでなく手書き入力部も備え、ユーザが読めない漢字などもこの手書き入力部にて手書き入力して文字認識させ、前記キーワード（検索文字（列））として入力し辞書検索表示させるようにした手書き入力機能付き電子辞書装置も考えられている（例えば、特許文献１参照。）。
【特許文献１】特開２００５−１６５５３３号公報
【発明の開示】
【発明が解決しようとする課題】
【０００４】
前記従来の手書き入力機能付き電子辞書装置によれば、手書き入力された文字（列）をキーワード（検索文字（列））として辞書を検索することができる。つまり、辞書とは知らない文字や事柄をキーワードから調べて習得する学習目的で使用されるが、単に知らない文字や事柄を調べるために使用するだけでなく、当該辞書が有する膨大なデータベースを利用してユーザに積極的に知識を習得させるための教育コンテンツの搭載が要望されている。
【０００５】
本発明は、このような課題に鑑みなされたもので、表示画面と当該表示画面とは別に設けた手書き入力部を利用して、ユーザに対し効果的に知識を習得させることが可能になる手書き入力機能を備えた電子辞書装置を提供することを目的とする。
【課題を解決するための手段】
【０００６】
請求項１に記載の手書き入力機能を備えた電子辞書装置は、表示部と手書き入力部と辞書データ記憶手段を備え、前記手書き入力部に手書き入力された文字に基づいて前記辞書データ記憶手段により記憶された辞書データから見出し語を検索し前記表示部に表示させる手書き入力機能を備えた電子辞書装置であって、
問題のオブジェクト群と回答のオブジェクト群とを各オブジェクト毎に異なる符号を対応付けて前記表示部に表示させる問題表示制御手段と、前記問題のオブジェクトに付された符号と前記回答のオブジェクトに付された符号とを前記手書き入力部の一方の領域と他方の領域とに分けて表示させる符号表示制御手段と、この符号表示制御手段により前記手書き入力部の一方の領域に表示された符号と他方の領域に表示された符号に対するタッチ入力を判断するタッチ入力判断手段と、このタッチ入力判断手段によりタッチ入力が判断された際に、当該タッチ入力された一方の領域の符号と他方の領域の符号に対応して前記表示部に表示されている問題のオブジェクトと回答のオブジェクトとの間に当該オブジェクト間を結ぶ線を表示させる線引き表示制御手段とを備えたことを特徴としている。
【０００７】
請求項２に記載の手書き入力機能付き電子辞書装置は、前記請求項１に記載の手書き入力機能付き電子辞書装置において、前記線引き表示制御手段により前記問題のオブジェクトと回答のオブジェクトとの間を結ぶ線が表示された後に、当該問題のオブジェクトに対応する見出し語の説明情報を前記辞書データ記憶手段により記憶された辞書データから読み出し前記表示部に表示させる辞書内容表示制御手段をさらに備えたことを特徴としている。
【０００８】
請求項３に記載の手書き入力機能付き電子辞書装置は、表示部と手書き入力部と辞書データ記憶手段を備え、前記手書き入力部に手書き入力された文字に基づいて前記辞書データ記憶手段により記憶された辞書データから見出し語を検索し前記表示部に表示させる手書き入力機能を備えた電子辞書装置であって、
一方向の問題とその問題に交差する他方向の問題とを組み合わせたクロスワードの問題を各問題毎に異なる符号を対応付けて前記表示部に表示させる問題表示制御手段と、前記一方向の問題に付された符号と前記他方向の問題に付された符号とを前記手書き入力部の一方の領域と他方の領域とに分けて表示させる符号表示制御手段と、この符号表示制御手段により前記手書き入力部に表示された各符号のうちの何れかの符号に対するタッチ入力を判断するタッチ入力判断手段と、このタッチ入力判断手段によりタッチ入力が判断された際に、当該タッチ入力された符号に対応して前記表示部に表示されている問題を回答の対象とし、その問題に対する回答の入力を受け付ける回答入力受け付け手段とを備えたことを特徴としている。
【０００９】
請求項４に記載の手書き入力機能を備えた電子辞書装置は、前記請求項３に記載の手書き入力機能を備えた電子辞書装置において、前記タッチ入力判断手段によりタッチ入力が判断された後に、当該タッチ入力された符号に対応して前記表示部に表示されている問題に対応する見出し語の説明情報を前記辞書データ記憶手段により記憶された辞書データから読み出し前記表示部に表示させる辞書内容表示制御手段をさらに備えたことを特徴としている。
【発明の効果】
【００１０】
本発明によれば、表示画面と当該表示画面とは別に設けた手書き入力部を利用してユーザに対し効果的に知識を習得させることが可能になる手書き入力機能を備えた電子辞書装置を提供できる。
【発明を実施するための最良の形態】
【００１１】
以下図面により本発明の実施の形態について説明する。
【００１２】
図１は、本発明の実施形態に係る手書き入力機能付き電子辞書装置１０の外観構成を示す正面図である。
【００１３】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、キー入力部１４、手書き入力部１６が設けられる。
【００１４】
また蓋体ケース１２の表面には、そのほぼ全域に例えば４８０×３２０ドットのバックライト付き表示部（液晶表示画面）１７が設けられる。
【００１５】
前記キー入力部１４には、電源キーをはじめ、各種文字・記号キー１５ａ、辞書指定キー１５ｂ、訳／決定キー１５ｃ、戻る／リストキー１５ｄなどが備えられる。
【００１６】
前記手書き入力部１６は、ユーザがペンＰや指等でタッチした位置を検出するタッチ位置検出装置と表示装置が一体となった構造であり、例えば、キー入力部１４の中央手前側において１２８×６４ドットの液晶表示画面に透明タブレットを重ねて構成される。この手書き入力部１６の入力領域は、例えば手書き入力モードでは、左右に１文字ずつ２文字分の手書き入力表示エリア１６Ｌ，１６Ｒに設定され、この手書き入力表示エリア１６Ｌ，１６Ｒでの手書き入力に伴う軌跡はその液晶表示画面にエコーバックして表示される。
【００１７】
また、この電子辞書装置１０は、ユーザに対し効果的に知識を習得させる教育コンテンツとして線引き問題およびクロスワードの処理機能を有する。
【００１８】
前記線引き問題の処理機能では、例えば図４に示すように、前記表示部１７の左側の領域に配列表示させた問題としての複数の単語と同表示部１７の右側の領域に配列表示させた回答としての複数の単語との間で、同義語などとして関連性のある単語同士をユーザが線引きして結び学習できる。この際、前記表示部１７の左側の領域に表示させた複数の単語（問題）を示す問題単語番号Ｍｎと、右側の領域に表示させた複数の単語（回答）を示す回答単語記号Ｍｋとを、それぞれ前記手書き入力部１６の左側の手書き入力表示エリア１６Ｌと右側の手書き入力表示エリア１６Ｒとに配列表示させる。そして、この左側の手書き入力表示エリア１６Ｌに表示された問題単語番号Ｍｎと右側の手書き入力表示エリア１６Ｒに表示された回答単語記号Ｍｋとに対するペンＰのタッチ操作に応じて、当該問題単語番号Ｍｎと回答単語記号Ｍｋとに対応するところの表示部１７に表示された左側の単語（問題）と右側の単語（回答）との間に接続線Ｌｎが描画表示される。
【００１９】
前記クロスワードの処理機能では、例えば図５に示すように、横方向に連続する枡で構成した横の穴空き単語問題（幾つかの文字が抜けている単語）と、当該横の穴空き単語に交差して縦方向に連続する枡で構成した縦の穴空き単語問題とを表示部１７にクロスワード問題として表示させ、横または縦の単語問題を指定しながらその文字抜け部分の文字を想定入力して単語を完成させ学習できる。この際、前記表示部に表示させた横方向の単語問題を示す横単語問題番号Ａｎと縦方向の単語問題を示す縦単語問題番号Ｄｎとを、それぞれ前記手書き入力部１６の左側の手書き入力表示エリア１６Ｌと右側の手書き入力表示エリア１６Ｒとに配列表示させる。そして、この左側の手書き入力表示エリア１６Ｌに表示された横単語問題番号Ａｎおよび右側の手書き入力表示エリア１６Ｒに表示された縦単語問題番号Ｄｎの何れかに対するペンＰによる選択的なタッチ操作に応じて、当該タッチ操作された単語番号Ａｎ又はＤｎに対応するところの穴空き単語問題を指定しその単語問題の入力エリアＷｅを表示させる。すると、前記キー入力部１４における各種文字・記号キー１５ａの入力に応じた回答文字が前記指定の単語問題の入力エリアＷｅの文字抜け部分に順次表示され単語が完成される。
【００２０】
図２は、前記手書き入力機能付き電子辞書装置１０の電子回路の構成を示すブロック図である。
【００２１】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２２】
ＣＰＵ２１は、ＲＯＭ２２内に予め記憶された装置制御プログラム、あるいはＲＯＭカードなどの外部記憶媒体から前記ＲＯＭ２２に読み込まれた装置制御プログラム、あるいはインターネットＮ上のＷｅｂサーバ（この場合はプログラムサーバ）からユーザのＰＣ(Personal Computer)などを経由して前記ＲＯＭ２２に読み込まれた装置制御プログラムに応じて、ＲＡＭ２３を作業用のメモリとし回路各部の動作を制御する。前記ＲＯＭ２２に記憶された装置制御プログラムは、キー入力部１４や手書き入力部１６からのユーザ操作に応じた入力信号に応じて起動される。
【００２３】
前記ＣＰＵ２１には、前記ＲＯＭ２２、ＲＡＭ２３、キー入力部１４、手書き入力部１６が接続される他に、表示部１７などが接続される。
【００２４】
ＲＯＭ２２には、当該電子辞書装置１０の全体の動作を司るシステムプログラムや図示しないユーザＰＣなどとデータ通信するための通信プログラムが記憶される他に、各種の辞書データに基づく検索文字列（キーワード）の入力に応じた見出し語検索処理と指定の見出し語に対応した訳語・意味内容・例文（用例）などの各種説明情報の読み出し表示処理など、辞書データに基づく検索処理全般を制御するための辞書検索処理プログラム２２ａ、前記線引き問題の処理を行わせるための線引き問題処理プログラム２２ｂ、前記クロスワードの処理を行わせるためのクロスワード処理プログラム２２ｃなどが記憶される。
【００２５】
前記辞書検索処理プログラム２２ａによって検索対象となる各種の辞書データとしては、「国語辞書」「英和辞書」「和英辞書」「英英辞書」「英類語辞書」などと共に「広○辞」、「漢○源」など、種類の異なる辞書データが予め複数辞書記憶される。
【００２６】
また、前記線引き問題処理プログラム２２ｂによって出題される線引き問題としては、予め作成された問題データが記憶されていてもよいし、前記辞書データとして記憶されている辞書の見出し語やその内容に基づきその都度作成してもよい。例えば英英辞書や英類語辞書からランダムに選択した所定の数の見出し語と当該所定数の見出し語にそれぞれ対応する説明情報の中から同義語や類語として読み出した所定数の単語とを、それぞれその順番を入れ替えて問題を作成する。そして、前記所定数の見出し語を表示部１７の左側の領域にその問題単語番号Ｍｎを付して配列表示させると共に、当該左側に表示させた所定数の見出し語に関連性のある単語として順番の入れ替えられた所定数の単語を同表示部１７の右側の領域にその回答単語記号Ｍｋを付して配列表示させ、線引き問題画面Ｇｍを生成する（図４参照）。
【００２７】
また、前記クロスワード処理プログラム２２ｃによって出題されるクロスワード問題としては、予め作成された問題データが記憶されていてもよいし、前記辞書データとして記憶されている辞書の見出し語やその内容に基づきその都度作成してもよい。例えば英英辞書からランダムに選択した所定数の見出し語を横方向の単語問題として読み出すと共に、当該各横方向の単語のランダムな位置の文字と同じ文字を有している見出し語を縦方向の単語問題として読み出しクロスワード問題を作成する。そして、前記横方向の単語問題および縦方向の単語問題を、それぞれ横単語問題番号Ａｎおよび縦単語問題番号Ｄｎを付して表示部１７に表示させ、クロスワード問題画面Ｇｍｘを生成する（図６参照）。
【００２８】
次に、前記構成の手書き入力機能付き電子辞書装置１０の動作について説明する。
【００２９】
まず、辞書検索処理プログラム２２ａに従って実行される通常の辞書検索処理について簡単に説明する。
【００３０】
辞書検索モードにおいて、辞書指定キー１５ｂを操作して所望の辞書を指定し、文字・記号キー１５ａを操作して所望の検索文字（列）を入力すると、当該検索文字（列）に先頭一致する見出し語が前記指定の辞書データから読み出され、表示部１７に見出し語一覧として表示される。
【００３１】
なお、前記文字・記号キー１５ａの操作に替えて手書き入力部１６に手書きの文字を入力して表示させた場合には、当該手書き入力された文字は文字認識処理されて所望の検索文字として入力される。
【００３２】
そして、前記表示部１７に表示された見出し語一覧の中から所望の見出し語をカーソル操作により選択して訳／決定キー１５ｃを操作すると、当該選択された所望の見出し語に対応する説明情報が前記指定の辞書データから読み出され、表示部１７に表示される。
【００３３】
これにより、所望の検索文字列に対応する見出し語を検索し、その説明情報を表示させて知ることができる。
【００３４】
このような手書き入力機能付き電子辞書装置１０において、前記辞書指定キー１５ｂに併設されたメニューキーの操作により表示部１７にメニュー画面を表示させ、このメニュー画面から「線引き問題」を指定すると、線引き問題処理プログラム２２ｂが実行される。
【００３５】
（線引き問題処理機能）
図３は、前記手書き入力機能付き電子辞書装置１０による線引き問題処理を示すフローチャートである。
【００３６】
図４は、前記手書き入力機能付き電子辞書装置１０の線引き問題処理に伴う表示部１７および手書き入力部１６の操作表示状態を示す図である。
【００３７】
前記線引き問題処理プログラム２２ｂが起動されると、当該プログラム２２ｂと共に予め記憶されている例えば英単語の同義語間を線引きして回答する線引き問題が読み出され、図４（Ａ）に示すように、表示部１７の左側の領域に対しては問題となる単語がその問題単語番号Ｍｎ（１．２．…）に対応付けられて配列され、同右側の領域に対しては回答となる単語がその回答単語記号Ｍｋ（Ａ．Ｂ．…）に対応付けられて配列されてなる線引き問題画面Ｇｍが表示される（ステップＳ１）。
【００３８】
そして、手書き入力部１６の左側の手書き入力表示エリア１６Ｌに対しては、前記表示部１７の左側の領域に表示させた問題となる単語を示す問題単語番号Ｍｎ（１．２．…）が配列表示され、また同手書き入力部１６の右側の手書き入力表示エリア１６Ｒに対しては、前記表示部１７の右側の領域に表示させた回答となる単語を示す回答単語記号Ｍｋ（Ａ．Ｂ．…）が配列表示される（ステップＳ２）。
【００３９】
この際、手書き入力部１６に表示された各問題単語番号Ｍｎ（１．２．…）および各回答単語記号Ｍｋそれぞれの表示位置情報（座標）と、表示部１７に表示された問題の単語および回答の単語のそれぞれとを対応付けする情報が生成されＲＡＭ２３に保存される。
【００４０】
なお、前記線引き問題は、前述した通りＲＯＭ２２に記憶されている辞書データの見出し語やその内容に基づき、当該線引き問題処理の開始の度に生成してもよい。
【００４１】
前記表示部１７による線引き問題画面Ｇｍおよび手書き入力部１６による問題単語番号Ｍｎ対回答単語記号Ｍｋの一覧表示状態において、当該手書き入力部１６にてペンＰによるタッチ入力が検出されると（ステップＳ３（Ｙｅｓ））、そのタッチ位置の位置情報（座標）が読み込まれる（ステップＳ４）。
【００４２】
そして、この手書き入力部１６から読み込まれたタッチ位置の位置情報（座標）に基づき、当該タッチ位置が左側の手書き入力表示エリア１６Ｌの各問題単語番号Ｍｎの位置と右側の手書き入力表示エリア１６Ｒの各回答単語記号Ｍｋの位置とで読み込まれた線引き可能な状態にあるか否か判断される（ステップＳ５）。
【００４３】
ここで、例えば当該線引き問題の開始直後であって、図４（Ｂ）に示すように、左側の手書き入力表示エリア１６Ｌの先頭に表示されている問題単語番号Ｍｎ［１］に対応する位置情報が読み込まれた場合には（ステップＳ３→Ｓ４）、線引き可能な状態にないと判断されるので（ステップＳ５（Ｎｏ））、今回読み込まれた位置情報に対応するところの問題単語番号Ｍｎ［１］が反転表示Ｈｎにより識別されて表示される（ステップＳ６）。
【００４４】
この後、前記問題単語番号Ｍｎ［１］の単語「Denote」の同義語として回答単語記号Ｍｋ［Ｄ］の単語「Indicate」がユーザにより選択され、右側の手書き入力表示エリア１６Ｒに表示されている回答単語記号Ｍｋ［Ｄ］の位置がタッチ入力された場合には（ステップＳ３→Ｓ４）、前記反転表示された左側の問題単語番号［１］との間で線引き可能な状態にあると判断される（ステップＳ５（Ｙｅｓ））。
【００４５】
すると、今回読み込まれた位置情報に対応するところの回答単語記号Ｍｋ［Ｄ］が反転表示Ｈｋにより識別されて表示されると共に、表示部１７において、前記問題単語番号Ｍｎ［１］に対応するところの問題の単語「Denote」と前記回答単語記号Ｍｋ［Ｄ］に対応するところの回答の単語「Indicate」との間で線引き表示Ｌ１が行われる（ステップＳ７）。
【００４６】
この後、前記同様にユーザが問題単語番号Ｍｎ［２］の単語「fluctuate」と回答単語記号［Ａ］の単語「Accelerate」とが同義語であると判断して、手書き入力部１６における左側の問題単語番号Ｍｎ［２］と右側の回答単語記号［Ａ］とを順次タッチ入力すると、当該問題単語番号Ｍｎ［２］と回答単語記号［Ａ］とが反転表示Ｈｎ，Ｈｋにより識別表示されると共に、表示部１７において、前記問題の単語「fluctuate」と回答の単語「Accelerate」との間で線引き表示Ｌ２が行われる（ステップＳ３〜Ｓ７）。
【００４７】
そしてさらに、前記同様に手書き入力部１６に表示された左側の問題単語番号Ｍｎと右側の回答単語記号Ｍｋに対するタッチ入力の繰り返し操作に従って、表示部１７に表示された左側の問題単語と右側の回答単語との間での線引き処理が順次繰り返された後に（ステップＳ３〜Ｓ７）、訳／決定キー１５ｃの操作により答え［Ａｎｓ］の指示が行われたと判断されると（ステップＳ８（Ｙｅｓ））、前記予め記憶された線引き問題あるいは当該線引き問題処理の開始に伴い生成された線引き問題の内容に基づき、前記線引き処理された問題−回答間の単語同士が同義語として関連性のある単語であるかの答え合わせの処理が行われる（ステップＳ９）。
【００４８】
すると、前記答え合わせの処理に応じた結果が、例えば正しい単語間の線引き表示Ｌｎを点滅により行うことで表示される（ステップＳ１０）。そして、誤った単語間の線引き表示Ｌｎがあった場合には、その左側に表示されている問題の単語について、例えば英英辞書や英類語辞書からその説明情報が読み出されて表示部１７に表示され、正しい同義語関係にある回答の単語が表示参照される（ステップＳ１１）。
【００４９】
したがって、前記構成の手書き入力機能付き電子辞書装置１０による線引き問題の処理機能によれば、問題としての複数の単語と当該各単語にそれぞれ関連性のある回答としての複数の単語とを、その問題単語番号Ｍｎと回答単語記号Ｍｋとを付して表示部１７の左右の領域に分けて配列表示させると共に、手書き入力部１６の左側の手書き入力表示エリア１６Ｌに前記問題単語番号Ｍｎを配列表示させ、右側の手書き入力表示エリア１６Ｒに前記回答単語記号Ｍｋを配列表示させる。そして、前記表示部１７に表示されたユーザ所望の問題の単語と回答の単語とにそれぞれ対応する手書き入力部１６に表示された問題単語番号Ｍｎと回答単語記号ＭｋとがペンＰによりタッチ入力されると、当該タッチ入力された問題単語番号Ｍｎと回答単語記号Ｍｋとに対応する前記表示部１７における問題の単語と回答の単語との間に線引き表示Ｌｎが行われる。このため、表示部１７と別に手書き入力部１６を設けた電子辞書装置１０において、当該表示部１７と手書き入力部１６とを効果的に使用した線引き問題によって学習を行う教育コンテンツを実現できる。
【００５０】
また、前記構成の手書き入力機能付き電子辞書装置１０による線引き問題の処理機能によれば、前記線引き問題を、当該電子辞書装置１０に記憶されている辞書データに基づいて、例えば辞書データの見出し語を問題の単語、当該見出し語の説明情報に含まれる同義語を回答の単語として生成する。そして、前記問題の単語に対し線引きされた回答の単語が誤りである場合には、当該問題の単語に対応する説明情報を前記辞書データから読み出して表示部１７に対し正しい回答の単語の参照情報として表示させる。このため、予め記憶された多種多様な辞書データを利用した豊富な種類の線引き問題を容易に作成して実施することができ、しかも同辞書データを利用して正解に関する説明情報を表示することができる。
【００５１】
次に、前記手書き入力機能付き電子辞書装置１０において、前記辞書指定キー１５ｂに併設されたメニューキーの操作により表示部１７にメニュー画面を表示させ、このメニュー画面から「クロスワード」を指定すると、クロスワード処理プログラム２２ｃが実行される。
【００５２】
（クロスワード処理機能）
図５は、前記手書き入力機能付き電子辞書装置１０によるクロスワード処理を示すフローチャートである。
【００５３】
図６は、前記手書き入力機能付き電子辞書装置１０のクロスワード処理に伴う表示部１７および手書き入力部１６の操作表示状態を示す図である。
【００５４】
前記クロスワード処理プログラム２２ｃが起動されると、当該プログラム２２ｃと共に予め記憶されている例えば英単語のクロスワード問題が読み出され、図６（Ａ）に示すように、横の単語問題と縦の単語問題とを表示部１７に展開してなるクロスワード問題画面Ｇｍｘが表示される（ステップＴ１）。
【００５５】
そして、手書き入力部１６の左側の手書き入力表示エリア１６Ｌに対しては、前記表示部１７に表示させた横の単語問題を示す横単語問題番号Ａｎ（２１．２２．２３．…）が配列表示され、また同手書き入力部１６の右側の手書き入力表示エリア１６Ｒに対しては、前記表示部１７に表示させた縦の単語問題を示す縦単語問題番号Ｄｎ（２６．２７．２８．…）が配列表示される（ステップＴ２）。
【００５６】
この際、手書き入力部１６に表示された各横単語問題番号Ａｎ（２１．２２．２３．…）および各縦単語問題番号Ｄｎそれぞれの表示位置情報（座標）と、表示部１７に表示された各単語問題のそれぞれとを対応付けする情報が生成されＲＡＭ２３に保存される。
【００５７】
なお、前記クロスワード問題は、前述した通りＲＯＭ２２に記憶されている辞書データの見出し語とそのスペルに基づき、当該クロスワード問題処理の開始の度に生成してもよい。
【００５８】
前記表示部１７によるクロスワード問題画面Ｇｍｘおよび手書き入力部１６による横単語問題番号Ａｎおよび縦単語問題番号Ｄｎの一覧表示状態において、当該手書き入力部１６にてペンＰによるタッチ入力が検出されると（ステップＴ３（Ｙｅｓ））、そのタッチ位置の位置情報（座標）が読み込まれる（ステップＴ４）。
【００５９】
そして、この手書き入力部１６から読み込まれたタッチ位置の位置情報（座標）に基づき、当該タッチ位置の縦または横の単語問題番号Ａｎ／Ｄｎに対応付けられて表示部１７に表示されている単語問題が有るか否か判断される（ステップＴ５）。
【００６０】
ここで、例えば図６（Ｂ）に示すように、前記手書き入力部１６から読み込まれたタッチ位置の横単語問題番号Ａｎ［２１］に対応付けられて表示部１７に表示されている単語問題「r_p___i_h」が有ると判断されると（ステップＴ５（Ｙｅｓ））、当該タッチ位置の横単語問題番号Ａｎ［２１］が反転表示Ｈにより識別表示されると共に、その単語問題「r_p___i_h」を回答するための入力エリアＷｅが現在のクロスワード問題画面Ｇｍｘ内に表示される（ステップＴ６）。
【００６１】
このユーザ指定の単語問題の回答入力エリアＷｅが表示された状態で、キー入力部１４に備えられたヒントキーが操作入力された場合には（ステップＴ７（Ｙｅｓ））、例えば当該単語問題の正解の単語を見出し語として収録している英類語辞書などの辞書データから、その見出し語に対応した説明情報に含まれる類義語の単語がヒント情報Ｅとして読み出され、現在のクロスワード問題画面Ｇｍｘ内に表示される（ステップＴ８）。
【００６２】
前記ユーザ指定の単語問題「r_p___i_h」の回答入力エリアＷｅが問題画面Ｇｍｘ内に表示された状態において、当該単語問題「r_p___i_h」の文字抜け部分「_」の文字を回答として入力するべくキー入力部１４の文字・記号キー１５ａが入力されると、そのキー入力の都度、入力された文字が前記回答入力エリアＷｅの文字抜け部分「_」に順次表示されて行く（ステップＴ９）。
【００６３】
そして、前記図６（Ｂ）で示したように、回答入力エリアＷｅの全ての文字抜け部分「_」に対する回答の文字の入力表示が完了していない状態「reple_i_h」、または図６（Ｃ）に示すように、回答入力エリアＷｅの全ての文字抜け部分「_」に対する回答の文字の入力表示が完了した状態「replenish」の何れの状態においても、訳／決定キー１５ｃの操作により答え［Ａｎｓ］の指示が行われたと判断されると（ステップＴ１０（Ｙｅｓ））、前記予め記憶されたクロスワード問題あるいは当該クロスワード問題処理の開始に伴い生成されたクロスワード問題の内容に基づき、前記回答入力エリアＷｅにて入力生成された単語の文字列がユーザ指定されている単語問題の正解の文字列と一致するか否かの判定により答え合わせの処理が行われる（ステップＴ１１）。
【００６４】
そして、正答か誤答かに関わらず、ユーザ指定の単語問題の表示位置に合わせて、正解の単語を表記した正解表示Ａｎｓが行われると共に、正答の場合には正答メッセージ「RIGHT!」、誤答の場合には誤答メッセージ「ERROR!」を表示する結果表示Ｘが行われる（ステップＴ１２）。
【００６５】
なお、前記ステップＴ１０において判断される訳／決定キー１５ｃの操作に応じた答え［Ａｎｓ］の指示は、前述したようにクロスワード問題画面Ｇｍｘに表示された個々の単語問題についての回答入力を行う毎の指示でもよいし、全ての単語問題についての回答入力を完了してからの指示でも、また完了していない状態での指示でもよく、前記答え合わせの処理（ステップＴ１１）および結果表示の処理（ステップＴ１２）は、前記回答入力が行われ且つ正解表示Ａｎｓが行われていないところの単語問題について実施される。
【００６６】
したがって、前記構成の手書き入力機能付き電子辞書装置１０によるクロスワード問題の処理機能によれば、幾つかの文字を抜かした横の単語問題と、当該横の単語問題を構成する何れかの文字を共通に幾つかの文字を抜かした縦の単語問題とを複数組み合わせ、当該各単語問題の先頭に横の単語問題番号Ａｎと縦の単語問題番号Ｄｎとを付してなるクロスワード問題を表示部１７に表示させる。これと共に、手書き入力部１６の左側の手書き入力表示エリア１６Ｌに前記横の単語問題番号Ａｎを配列表示させ、右側の手書き入力表示エリア１６Ｒに前記縦の単語問題番号Ｄｎを配列表示させる。そして、前記手書き入力部１６に表示された任意の単語問題番号Ａｎ，Ｄｎをタッチ入力して指定すると、この指定の問題番号Ａｎ，Ｄｎに対応して表示部１７に表示されている単語問題が回答の対象として指定され、ユーザ入力された文字が当該指定の単語問題の文字抜け部分に順次表示されて回答される。このため、表示部１７と別に手書き入力部１６を設けた電子辞書装置１０において、当該表示部１７と手書き入力部１６とを効果的に使用したクロスワード問題によって学習を行う教育コンテンツを実現できる。
【００６７】
また、前記構成の手書き入力機能付き電子辞書装置１０によるクロスワード問題の処理機能によれば、ユーザ任意の単語問題を回答の対象として指定して文字抜け部分の文字入力を行う状態において、ヒントキーが操作入力されると、当該指定の単語問題の単語を見出し語として含む辞書データから当該見出し語に対応する意味内容や同義語などの説明情報を読み出し表示部１７にヒント情報Ｅとして表示させる。このため、電子辞書装置１０の辞書データを有効に利用して学習を行う新たな教育コンテンツを実現できる。
【００６８】
なお、前記クロスワード問題の実施形態では、ユーザにより指定した単語問題の文字抜け部分に文字を入力して回答する場合、キー入力部１４の文字・記号キー１５ａを操作して所望の文字を入力する構成とした。これに対し、次の図７に示すように、前記指定の単語問題の文字抜け部分に当て嵌まる文字を含んだ候補文字列Ｗａを手書き入力部１６に表示させ、当該候補文字列Ｗａの中から回答となる文字をペンＰにより択一的にタッチ入力する構成としてもよい。
【００６９】
図７は、前記手書き入力機能付き電子辞書装置１０の他の実施形態（その１）のクロスワード処理に伴う表示部１７および手書き入力部１６の操作表示状態を示す図である。
【００７０】
すなわち、前記図６（Ｂ）で示したように、手書き入力部１６に表示された横および縦の単語問題番号Ａｎ，Ｄｎを選択的にタッチ入力してユーザ任意の単語問題が指定されると、図７（Ａ）に示すように、クロスワード問題画面Ｇｍｘ上に当該指定の単語問題に対応する回答入力エリアＷｅを表示するのに伴い、手書き入力部１６に対して前記指定の単語問題の文字抜け部分に当て嵌まる文字を含ませた候補文字列Ｗａを表示させる。この際、四者択一の候補文字列Ｗａを表示させたり、または図７（Ｂ）に示すように、八者択一の候補文字列Ｗａを表示させたり、適宜切り替え可能にすることにより、ユーザの学習レベルに合わせて回答の補助を行うことができる。
【００７１】
さらに、次の図８に示すように、手書き入力部１６に表示させた各単語問題番号Ａｎ，Ｄｎに対するタッチ入力により、横（または縦）の任意の単語問題を回答の対象Ａとして指定するのに伴い、その指定の単語問題と共通の文字を有して交差する縦（または横）の単語問題を指定して当該交差する単語問題で表記中の文字を全て消去する構成を付加する。これにより、回答の対象Ａである単語問題の難易度を高めるようにしてもよい。
【００７２】
図８は、前記手書き入力機能付き電子辞書装置１０の他の実施形態（その２）のクロスワード処理に伴う表示部１７および手書き入力部１６の操作表示状態を示す図である。
【００７３】
例えば図８（Ａ）に示すように、手書き入力部１６の左側の手書き入力表示エリア１６Ｌに表示された横の単語問題番号Ａｎ［２１］をタッチ入力により指定すると、当該指定の横単語問題番号Ａｎ［２１］に対応して表示部１７に表示されている横の単語問題「r_p___i_h」が回答の対象Ａとして指定され、回答入力エリアＷｅが表示される。
【００７４】
ここで、前記横の単語問題「r_p___i_h」に共通の文字「p」を有して交差する縦の単語問題「p___r_y」の問題番号Ｄｎ［２７］を、前記手書き入力部１６の右側の手書き入力表示エリア１６Ｒにてタッチ入力し指定すると、当該指定の縦の単語問題「p___r_y」の全ての文字が消去され、前記回答対象Ａである横の単語問題「r_p___i_h」の難易度を高めることができる。
【００７５】
さらに、例えば図８（Ｂ）に示すように、ユーザ任意の横の単語問題［２４］「i_____a_i_e」を回答の対象Ａとして指定した際に、縦のすべての単語問題［２６］〜［３０］を指定してその全ての文字を消去することで、より難易度の高い問題を提供することもできる。
【００７６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００７７】
【図１】本発明の実施形態に係る手書き入力機能付き電子辞書装置１０の外観構成を示す正面図。
【図２】前記手書き入力機能付き電子辞書装置１０の電子回路の構成を示すブロック図。
【図３】前記手書き入力機能付き電子辞書装置１０による線引き問題処理を示すフローチャート。
【図４】前記手書き入力機能付き電子辞書装置１０の線引き問題処理に伴う表示部１７および手書き入力部１６の操作表示状態を示す図。
【図５】前記手書き入力機能付き電子辞書装置１０によるクロスワード処理を示すフローチャート。
【図６】前記手書き入力機能付き電子辞書装置１０のクロスワード処理に伴う表示部１７および手書き入力部１６の操作表示状態を示す図。
【図７】前記手書き入力機能付き電子辞書装置１０の他の実施形態（その１）のクロスワード処理に伴う表示部１７および手書き入力部１６の操作表示状態を示す図。
【図８】前記手書き入力機能付き電子辞書装置１０の他の実施形態（その２）のクロスワード処理に伴う表示部１７および手書き入力部１６の操作表示状態を示す図。
【符号の説明】
【００７８】
１０  …手書き入力機能付き電子辞書装置
１１  …本体ケース
１２  …蓋体ケース
１３  …ヒンジ部
１４  …キー入力部
１５ａ…各種文字・記号キー
１５ｂ…辞書指定キー
１５ｃ…訳／決定キー
１５ｄ…戻る／リストキー
１６  …手書き入力部
１６Ｌ，１６Ｒ…手書き入力表示エリア
１７  …表示部（画面）
２１  …ＣＰＵ
２２  …ＲＯＭ
２２ａ…辞書検索処理プログラム
２２ｂ…線引き問題処理プログラム
２２ｃ…クロスワード処理プログラム
２３  …ＲＡＭ
Ｐ  …ペン
Ｇｍ  …線引き問題画面
Ｍｎ  …問題単語番号
Ｍｋ  …回答単語記号
Ｌｎ  …線引き表示
Ｇｍｘ…クロスワード問題画面
Ａｎ  …横単語問題番号
Ｄｎ  …縦単語問題番号
Ｗｅ  …回答入力エリア
Ｅ  …ヒント情報
Ｘ  …結果表示
Ｗａ  …候補文字列
Ａ  …回答の対象
【図１】
2009192833.tif 000003
【図２】
2009192833.tif 000004
【図３】
2009192833.tif 000005
【図４】
2009192833.tif 000006
【図５】
2009192833.tif 000007
【図６】
2009192833.tif 000008
【図７】
2009192833.tif 000009
【図８】
2009192833.tif 000010